(57)【要約】【課題】自己表示機能付きの非接触ＩＣ媒体及び非接触通信媒体のリーダの両方の機能を備えた非接触通信媒体を提供すること。【解決手段】表示装置と、前記表示装置に接続された演算処理装置と、前記演算処理装置に接続された、通信距離を制御可能な第一の非接触通信手段と、前記非接触通信手段と、非接触通信可能に配置された第二の非接触通信手段と、前記第一の非接触通信手段の通信機能の開通及び切断する第一のスイッチと、前記第二の非接触通信手段の通信機能の開通及び切断する第二のスイッチとを備え、前記第一のスイッチ及び第二のスイッチは、前記演算処理装置に接続されていることを非接触通信媒体とする。【選択図】図１
2012079249.tif 000002
【特許請求の範囲】
【請求項１】
表示装置と、
前記表示装置に接続された演算処理装置と、
前記演算処理装置に接続された、通信距離を制御可能な第一の非接触通信手段と、
前記非接触通信手段と、非接触通信可能に配置された第二の非接触通信手段と、
前記第一の非接触通信手段の通信機能の開通及び切断する第一のスイッチと、
前記第二の非接触通信手段の通信機能の開通及び切断する第二のスイッチと、
を備え、
前記第一のスイッチ及び第二のスイッチは、前記演算処理装置に接続されていることを非接触通信媒体。
【請求項２】
前記第一の非接触通信手段は、発信器と、第一のアンテナとが接続されたＩＣを備え、
前記第二の非接触通信手段は、第二のアンテナが接続されたＩＣを備え、
前記第一のアンテナに前記第一のスイッチが設けられ、
前記第二のアンテナに前記第二のスイッチが設けられていることを特徴とする請求項１に記載の非接触通信媒体。
【請求項３】
前記第一の非接触通信手段は、信号を送受信するための搬送波の出力が、少なくとも高出力と低出力の２段階に制御可能であることを特徴とする請求項１又は２に記載の非接触通信媒体。
【請求項４】
前記第一のスイッチ及び／又は前記第二のスイッチの開閉と、前記第一の非接触通信手段の通信距離を制御する制御手段を有し、
前記制御手段は、
前記第一のスイッチを切断され、前記第二のスイッチを開通する状態と、
前記第一のスイッチを開通され、前記第二のスイッチを切断されているとともに、前記第一の非接触通信手段の搬送波の出力を高出力にする状態と、
前記第一のスイッチを開通され、前記第二のスイッチを開通されているとともに、前記第一の非接触通信手段の搬送波の出力を低出力にした状態と、
を切り替える機能を有することを特徴とする請求項３に記載の非接触通信媒体。
【請求項５】
請求項１乃至４のいずれかに記載の非接触通信媒体を用いた通信方法であって、
前記第一のスイッチを開通し、第二のスイッチを切断するステップと、
第一の非接触通信手段の通信距離を長距離に設定するステップと、
外部の非接触ＩＣ媒体の信号を検出し、通信を確立するステップと、
通信された情報を表示装置に出力するステップと、
を含むことを特徴とする通信方法。
【請求項６】
請求項５に記載の通信方法であって、
前記外部の非接触ＩＣ媒体の信号を検出し、通信を確立するステップは、
第一の通信規格の信号検出を行い、検出された場合は第一の通信規格で非接触ＩＣ媒体との通信を確立し、前記非接触ＩＣ媒体の信号が検出されなかった場合は第二の通信規格の信号検出を行うステップ、を含むことを特徴とする通信方法。
【請求項７】
請求項５又は６に記載の通信方法であって、
前記外部の非接触ＩＣ媒体の信号を検出し、通信を確立するステップにおいて通信が確立されなかった場合に、
前記第二のスイッチを開通するステップと、
第一の非接触通信手段の通信距離を短距離に設定するステップと、
前記第二の非接触通信手段の信号を検出し、通信を確立するステップと、
を含むことを特徴とする通信方法。
【請求項８】
請求項５乃至７のいずれかに記載の通信方法であって、
演算処理装置に記録された終了条件を満たした場合に、
前記第一のスイッチを切断し、第二のスイッチを開通した状態にするステップと、
を含むことを特徴とする通信方法。
【発明の詳細な説明】
【技術分野】
【０００１】
本発明は、情報を表示する機能を有し、情報を送受信することができる非接触通信媒体に関し、特にＩＣカード形態の非接触通信媒体に関する。
【背景技術】
【０００２】
近年、交通機関等の乗車券や、電子マネー媒体として、非接触で情報のやり取りが可能な非接触ＩＣカード等の非接触通信媒体が普及している。これらは、ＩＣチップに接続されたアンテナを介して送受信することで、通信するものである。
【０００３】
ところで、このような非接触ＩＣカードに記録された情報を読み取るためには、別途非接触ＩＣカードから送信された電磁波を受信するためのリーダが必要となる。リーダは、非接触ＩＣカード同様、情報通信のためのアンテナを備えている。一方、自己のＩＣチップに記録された情報を表示する表示装置を備えた非接触ＩＣカードは、例えば特許文献１に開示されている。しかし、特許文献１では、ＩＣチップに電気的に接続された配線によって、表示装置にＩＣチップの情報を表示させているものであるので、表示機能付ＩＣカード自体の情報は表示できるが、一般的なリーダのように、他のＩＣカードの情報を表示するものではない。
【先行技術文献】
【特許文献】
【０００４】
【特許文献１】特開平１１−１２０３１２号公報
【発明の概要】
【発明が解決しようとする課題】
【０００５】
上述の通り、従来自己表示機能付きの非接触ＩＣ媒体や非接触ＩＣカードのリーダは従来からあるが、これら両方の機能を備えた非接触通信媒体は、実現が困難であった。一つは、ＩＣカードに備えられたアンテナコイルでリーダ／ライタ機能と、自己のＩＣチップに記録するデータの送受信のいずれか一方を行う場合、他方の機能としてもアンテナコイルが機能してしまうため不安定になってしまう。すなわち、自己の非接触ＩＣカードのアンテナによる電磁波通信と、他の非接触ＩＣカードからの電磁波を読み取るための通信が、同じ通信周波数を利用しているために混線してしまうという問題があった。
【０００６】
本願発明は、このような問題点を鑑みて、自己表示機能付きの非接触ＩＣ媒体及び非接触通信媒体のリーダの両方の機能を備えた非接触通信媒体及び非接触通信媒体を用いた通信方法を提供するものである。
【課題を解決するための手段】
【０００７】
上記課題を解決するために為された請求項１に係る発明は、表示装置と、前記表示装置に接続された演算処理装置と、前記演算処理装置に接続された、通信距離を制御可能な第一の非接触通信手段と、前記非接触通信手段と、非接触通信可能に配置された第二の非接触通信手段と、前記第一の非接触通信手段の通信機能の開通及び切断する第一のスイッチと、前記第二の非接触通信手段の通信機能の開通及び切断する第二のスイッチと、を備え、前記第一のスイッチ及び第二のスイッチは、前記演算処理装置に接続されていることを非接触通信媒体である。
また請求項２に係る発明は、前記第一の非接触通信手段は、発信器と、第一のアンテナとが接続されたＩＣを備え、前記第二の非接触通信手段は、第二のアンテナが接続されたＩＣを備え、前記第一のアンテナに前記第一のスイッチが設けられ、前記第二のアンテナに前記第二のスイッチが設けられていることを特徴とする請求項１に記載の非接触通信媒体である。
また請求項３に係る発明は、前記第一の非接触通信手段は、信号を送受信するための搬送波の出力が、少なくとも高出力と低出力の２段階に制御可能であることを特徴とする請求項１又は２に記載の非接触通信媒体である。
また請求項４に係る発明は、前記第一のスイッチ及び／又は前記第二のスイッチの開閉と、前記第一の非接触通信手段の通信距離を制御する制御手段を有し、前記制御手段は、  前記第一のスイッチを切断され、前記第二のスイッチを開通する状態と、前記第一のスイッチを開通され、前記第二のスイッチを切断されているとともに、前記第一の非接触通信手段の搬送波の出力を高出力にする状態と、前記第一のスイッチを開通され、前記第二のスイッチを開通されているとともに、前記第一の非接触通信手段の搬送波の出力を低出力にした状態と、を切り替える機能を有することを特徴とする請求項３に記載の非接触通信媒体である。
【０００８】
さらに請求項５に係る発明は、請求項１乃至４のいずれかに記載の非接触通信媒体を用いた通信方法であって、前記第一のスイッチを開通し、第二のスイッチを切断するステップと、第一の非接触通信手段の通信距離を長距離に設定するステップと、外部の非接触ＩＣ媒体の信号を検出し、通信を確立するステップと、通信された情報を表示装置に出力するステップと、を含むことを特徴とする通信方法である。
また請求項６に係る発明は、請求項５に記載の通信方法であって、前記外部の非接触ＩＣ媒体の信号を検出し、通信を確立するステップは、第一の通信規格の信号検出を行い、検出された場合は第一の通信規格で非接触ＩＣ媒体との通信を確立し、前記非接触ＩＣ媒体の信号が検出されなかった場合は第二の通信規格の信号検出を行うステップ、を含むことを特徴とする通信方法である。
また請求項７に係る発明は、請求項５又は６に記載の通信方法であって、前記外部の非接触ＩＣ媒体の信号を検出し、通信を確立するステップにおいて通信が確立されなかった場合に、前記第二のスイッチを開通するステップと、第一の非接触通信手段の通信距離を短距離に設定するステップと、前記第二の非接触通信手段の信号を検出し、通信を確立するステップと、を含むことを特徴とする通信方法である。
また請求項７に係る発明は、請求項５乃至７のいずれかに記載の通信方法であって、  演算処理装置に記録された終了条件を満たした場合に、前記第一のスイッチを切断し、第二のスイッチを開通した状態にするステップと、を含むことを特徴とする通信方法である。
【発明の効果】
【０００９】
本発明の非接触通信媒体は、通信距離を制御可能な第一の非接触通信手段（リーダ／ライタ手段）と、第二の非接触手段を有し、それぞれアンテナ回路の開通／切断するスイッチが演算処理装置に接続されているので、１）外部の非接触ＩＣ媒体と、リーダ／ライタ手段２０３との通信、２）外部のリーダ／ライタ装置と、第二の非接触通信手段との通信、３）リーダ／ライタ手段と、第二の非接触通信手段との通信、のいずれの場合においても安定した通信を実現することができる。
【００１０】
また、本発明に係る通信方法によれば、外部の非接触ＩＣ媒体との通信と、内部の非接触通信手段との通信が、外部の非接触ＩＣ媒体の通信の有無によって、自動的に通信方法を選択し、表示装置に情報を表示することが可能になる。
【図面の簡単な説明】
【００１１】
【図１】本発明に係る非接触通信媒体の実施形態を示す模式図である。
【図２】本発明に係る非接触通信媒体の内部構成を示すブロック図である。
【図３】本発明に係る非接触通信媒体の各構成要素の配置の構成例を示す模式図である。
【図４】本発明に係る非接触通信媒体を用いた通信方法を示すフローチャートである。
【図５】本発明に係る非接触通信媒体を用いた通信方法を示すフローチャートである。
【図６】本発明に係る非接触通信媒体を用いた通信方法を示すフローチャートである。
【発明を実施するための形態】
【００１２】
以下、本発明の実施の形態を説明する。
図１は、本発明に係る非接触通信媒体の外部構成を示す模式図である。本発明の非接触通信媒体は、少なくとも表示装置１０１と、電源スイッチを含む操作部１０２を備えている。図１では、一般的なＩＣカードとしての利用を想定し、カード型の非接触通信媒体を例として示しているが、これに限られない。
【００１３】
図２は、本発明に係る非接触通信媒体の内部構成を示すブロック図である。表示装置１０１は、表示装置に表示情報を入力するために演算処理装置（ＣＰＵ）に接続されている。さらに演算処理装置には、非接触ＩＣ媒体（ＩＣカード等）に対するリーダ／ライタとして信号を制御し、発信するためのＩＣ１が接続されている。また、電源スイッチを含む操作部１０２（ＣＴＬ）や、ＣＰＵの電力源を備える。図２では、電力源として電池（Ｂａｔ．）を図示している。さらに図示していないが、これ以外にも、ＣＰＵ側の発信器や、ＣＰＵを初期化するための初期化回路を備えていても良い。
【００１４】
ＩＣ１には、発信器（ＯＳＣ）と、電磁波を送受信するためのアンテナ２０１（第一のアンテナ）が接続されている（リーダ／ライタ手段２０３）。さらに本発明の非接触通信媒体は、別のアンテナ２０２（第二のアンテナ）を備え、第二のアンテナはＩＣ２に接続されている（非接触通信手段２０４）。図２のアンテナ２０１及びアンテナ２０２を貫く点線は、第一のアンテナ及び第二のアンテナによって通信が可能であることを示す。すなわち、ＩＣ１、第一のアンテナ、発信器を含むリーダ／ライタ手段２０３によって、ＩＣ２と第二のアンテナとを含む非接触通信手段の読み取りあるいは書き込みが可能である。なお非接触通信手段は、一般的な非接触ＩＣカードと同様に、無電源で情報の送受信が可能である。
【００１５】
リーダ／ライタ手段２０３は、通信距離を少なくとも、長距離と短距離の２つのモードを備える。より具体的には、制御手段により、第一のアンテナ２０１によって信号を送受信するための搬送波の出力を、少なくとも高出力と低出力の２段階に制御可能とする。リーダ／ライタ手段の出力強度は演算処理装置からの制御信号により制御することができる。高出力の設定では、外部の非接触ＩＣ媒体（ＩＣカード）と通信するために、少なくとも非接触通信媒体の厚みを超える距離での信号検出できる出力とする。より好ましくは非接触通信媒体表面から２ｃｍ以上の検出距離となるようにする。一方、低出力の設定では、高出力の設定よりも出力が小さく、かつ第二のアンテナ２０２と通信可能な出力強度とする。従って、カード形状の非接触通信媒体では、第一のアンテナ及び第二のアンテナがほぼ重なって配置されているので、非接触通信媒体の５ｍｍ程度の検出距離であればよい。低出力の場合の電磁波信号の検出領域が非接触通信媒体の厚み程度であれば、外部の電磁波信号により検出が不安定になることがない。このように、本発明の非接触通信媒体によればリーダ／ライタ手段２０３の通信距離を切り替える手段を持つので、外部の非接触ＩＣ媒体の読み取りと、内部の非接触通信手段２０４の読み取りのモードを切り替えることができる。
【００１６】
さらに、リーダ／ライタ手段２０３及び非接触通信手段２０４には、それぞれリーダ／ライタ手段２０３の回路を開通／切断するためのスイッチ１及び非接触通信手段２０４の回路を開通／切断するためのスイッチ２を備えており、演算処理装置により制御される。外部の非接触ＩＣ媒体の読み取り、すなわちリーダ／ライタとして用いる際には、スイッチ１を開通し、スイッチ２を切断した状態として、第一のアンテナ２０１の搬送波に対して非接触通信手段２０４が機能しないようにする。このため第二のアンテナ２０２の反応によって、第一のアンテナによる外部信号の読み取りが不安定になることがない。
【００１７】
また、外部のリーダ／ライタ装置と通信する場合、すなわち、本発明の非接触通信媒体を非接触ＩＣ媒体（ＩＣカード）として用いる際には、スイッチ１を切断し、スイッチ２を開通した状態として、第二のアンテナ２０２での通信において第一のアンテナ２０１が機能しないようにする。前述のように、非接触通信手段２０４は無電源で情報の送受信が可能であるので、電源を切った状態で、スイッチ１を切断し、スイッチ２を開通した状態としておけば、通常の非接触ＩＣカードとして用いることができる。
【００１８】
またリーダ／ライタ手段２０３が非接触通信手段２０４と通信する際には、スイッチ１及びスイッチ２をそれぞれ開通した状態とする。前述のように、この場合には、リーダ／ライタ手段２０３の第一のアンテナ２０１によって送受信するための搬送波の出力を低出力にすることで、外部信号の検出により読み取りが不安定になることがない。
【００１９】
以上のように、スイッチ１及びスイッチ２の切り替えと、リーダ／ライタ手段２０３の通信距離が切り替えにより、１）外部の非接触ＩＣ媒体と、リーダ／ライタ手段２０３との通信、２）外部のリーダ／ライタ装置と、非接触通信手段２０４との通信、３）リーダ／ライタ手段２０３と、非接触通信手段２０４との通信との通信、のいずれの場合においても安定した通信を実現することができる。本発明の非接触通信媒体では、演算処理装置が、スイッチ１及びスイッチ２の切り替えと、リーダ／ライタ手段２０３の通信距離が切り替えとを制御する制御手段を備えることで、上記３つの通信モードの切り替えが電気的に可能となる。
【００２０】
また、自己の情報を記録した非接触通信手段２０４と、リーダ／ライタ手段２０３とを分けて設け、情報通信媒体内で２つのアンテナを介してのみ非接触通信手段２０４のＩＣ２に記録されたデータにアクセスできるようにしたので、セキュリティ性の高いＩＣチップをＩＣ２に用いれば、自己の情報に対するセキュリティを高めることができる。
【００２１】
次に本発明に係る非接触通信媒体の詳細な構成例について説明する。図３は、上述した本発明に係る非接触通信媒体の各構成要素の配置の構成例である。図３では、最上層に表示装置１０１と操作部１０２のスイッチ回路が配置されている。次に上から順に、非接触通信手段２０４の第二のアンテナ２０２を含む層、リーダ／ライタ手段２０３の第一のアンテナ２０１を含む層、演算処理装置を含む配線回路を形成した配線回路層３０１が配置されている。さらに下部に非接触通信手段２０４及び演算処理装置の電力源である電池３０２が設けられている。むろんこれらの積層順は目的に応じて変えることができる。
【００２２】
本発明に用いる表示装置１０１としては、液晶表示装置、有機ＥＬ表示装置、電気泳動式表示装置、一般的な表示装置を用いることができる。例えば強誘電液晶表示装置や電気泳動式表示装置であれば、画像切り替え時のみ電力を消費するので長時間の使用に向いている。一方、動的な画像を表示する場合には、液晶表示装置や有機ＥＬ表示装置が好ましい。
【００２３】
リーダ／ライタ手段２０３としては、一般的なリーダ／ライタ装置に用いられるＩＣ及び発信器を用いることができる。リーダ／ライタ手段のＩＣ１は、情報読み取りできる通信規格は、タイプＡ、タイプＢ等の一つの規格に対応したものを用いても良いし、複数の規格を切り替えられるものを用いても良い。複数の規格に対応したものとしては、具体的にはＮＦＣ（Near Field Communication）が挙げられる。ＮＦＣは近距離無線通信規格であり、ＦｅｌｉＣａ（登録商標）、ＭＩＦＡＲＥ（登録商標）等の複数の規格に対応している。通信用のアンテナ２０１は、できるだけ省スペース化するために、金属箔をパターニングしたエッチングアンテナや、エナメル線を用いた巻き線アンテナが好適である。リーダ／ライタ手段２０３の回路を開通／切断するためのスイッチ１としては、例えばアンテナの一部にスイッチング回路を形成して設けることができる。
【００２４】
非接触通信手段２０４としては、一般的なＩＣカードに用いられている非接触通信用インレットを用いることができる。これは、シート基材上に第二のアンテナ２０２及び第二のアンテナに接続されたＩＣ２を備えたものである。ＩＣ２は、情報を記録するメモリ機能を有している。非接触通信手段の回路を開通／切断するためのスイッチ２としては、インレットのアンテナの一部にスイッチング回路を形成して設けることができる。
【００２５】
リーダ／ライタ手段２０３のアンテナ２０１は、読み取り距離を大きくするために、非接触通信手段２０４のアンテナ２０１は非接触通信媒体の形状に合わせてアンテナループを形成することが好ましい。配置の層方向平面視でアンテナ２０１ループ内に、非接触通信手段２０４のアンテナ２０２が配置される。
【００２６】
配線回路層３０１には、演算処理装置の他に、表示装置１０１とのコネクタや、リーダ／ライタ手段２０３のＩＣ、電源制御回路等が形成される。また同じ基材上に、アンテナ２０１や、アンテナ２０２を形成しても良い。
【００２７】
演算処理装置として用いられるＩＣは、表示装置１０１、リーダ／ライタ手段２０３のＩＣ１、スイッチ１、スイッチ２に電気的に接続されている。さらに、電源（電源制御回路）、操作部１０２のスイッチ等に電気的に接続されている。また、接続回路には、中継回路（ＩＣ）を備えていても良く、例えばＩＣ１と演算処理装置間のUART (Universal Asynchronous Receiver Transmitter)等を含む。
【００２８】
操作部１０２の回路には、少なくとも電源をＯＮ／ＯＦＦするためのスイッチを含む。また、非接触通信媒体の使用様態よっては、モード選択・決定のための信号回路や、表示画面のスクロールのための信号回路を備えていても良い。
【００２９】
電池３０２は、一次電池、二次電池のいずれでも良い。あるいは太陽電池等の化学電池以外の蓄電手段を電力源に用いても良い。
【００３０】
これらの構成要素は、回路上それぞれ個々に設けられていても良いし、所定の複数構成要素をパッケージ化してあっても良い。また、各層の間に他の構成要素を加えても良い。例えば、表示装置と、隣接する層（第一のアンテナ２０１が）の間に、電磁波ノイズ低減のための磁気シートを加えることができる。
【００３１】
次に、本発明の表示機能付き非接触通信媒体を用いた通信方法を示すために、図４〜６のフローチャートを参照しつつ、本発明の通信方法の処理ステップを説明する。以下の処理は演算処理装置に格納された通信プログラムにより制御される。
【００３２】
まず通信を開始する前の段階では、リーダ／ライタ手段２０３のスイッチ１を切断し、非接触通信手段２０４のスイッチ２を開通した状態とする。これにより、非接触通信手段２０４が機能するため、通常の非接触ＩＣカードとして用いることができる。
【００３３】
通信モード（Ｓ１）は、電源を入れた瞬間に通信モードとなるようにしても良いし、電源を入れた後に、通信モードを選択することにより、実行されるようにしても良い。本発明の様態によれば、通信モードが開始されると、まず外部の非接触ＩＣ媒体との通信を試みる、「外部非接触ＩＣ媒体通信モード」が自動的に開始される。リーダ／ライタ手段２０３のスイッチ１を開通（ＯＮ）し（Ｓ２）、非接触通信手段２０４のスイッチ２を切断（ＯＦＦ）する（Ｓ３）。Ｓ２及びＳ３のステップは、同時に行っても良いし、Ｓ３、Ｓ２の順に実行しても良い。次に、リーダ／ライタ手段を長距離検出に設定する（Ｓ４）。すなわち、第一のアンテナにより出力される通信搬送波を高出力として、外部の非接触ＩＣ媒体を検出できるようにする。Ｓ２〜Ｓ４のステップにより、外部の非接触ＩＣ媒体の読み取りが可能になる。
【００３４】
次に、外部の非接触ＩＣ媒体の通信規格を検出する（Ｓ５〜１２）。図４では、リーダ／ライタ手段２０３に複数の規格に対応したＩＣを用いて、通信規格１〜３の非接触ＩＣ媒体を検出する場合のステップを示す。演算処理装置は、リーダ／ライタ手段２０３のＩＣ１に、通信規格１の通信の検出を指示する検出コマンドを送る（Ｓ５）。演算処理装置は、ＩＣ１からの応答により通信規格１による通信が検出できたか否かを判断し（Ｓ６）、検出できた場合には、データをやりとりするための指示（データ通信コマンド）を送る（Ｓ７）。検出されなかった場合には、次に通信規格２の通信の検出を指示する検出コマンドを送る（Ｓ８）。後は通信規格１と同様のステップにより、通信規格２あるいは通信規格３の通信の検出を行う（Ｓ９〜Ｓ１２）。一通りすべての通信規格についての検出確認を終えた後、通信精度を上げるために、複数回、Ｓ５〜Ｓ１２の非接触ＩＣ媒体の検出ステップを繰り返すことが好ましい。具体的には、通信プログラムに検出ステップの繰り返し回数ｎを設定しておき、ｎ回の検出ステップを繰り返しているかどうかを判断し、ｎ回に達していない場合には、Ｓ５〜Ｓ１２を繰り返すよう再帰させる（Ｓ１３）。このステップにより、非接触ＩＣ媒体と通信可能な場合には、データ通信が開始され、非接触ＩＣ媒体と通信ができないか、信号が検出されなかった場合には、非接触通信手段２０４との通信を実行するステップに移行する（「内部データ通信モード」）。
【００３５】
図５は「内部データ通信モード」に移行した後の通信処理ステップを示すフローチャートである。「外部非接触ＩＣ媒体通信モード」で通信が確立されない場合、引き続き、「内部データ通信モード」が実行される。「内部データ通信モード」を開始すると、非接触通信手段２０４のスイッチ２を開通（ＯＮ）する（Ｓ２１）。リーダ／ライタ手段２０３のスイッチ１は引き続き開通している。次に、リーダ／ライタ手段を短距離検出に設定する（Ｓ２２）。すなわち、第一のアンテナにより出力される通信搬送波を低出力として、外部の非接触ＩＣ媒体の信号を検出しにくくして、内部の非接触通信手段２０４との通信時のノイズを低減することができる。Ｓ２１〜Ｓ２３のステップにより、非接触通信手段の読み取りが可能になる。
【００３６】
また、非接触通信手段２０４のＩＣ２に通信個体を特定するための固有情報を格納するとともに、演算処理装置又はリーダ／ライタ手段のＩＣ１側にも当該固有情報を記録するようにしても良い。リーダ／ライタ手段２０３との送受信時に固有情報に付加し、内部データ表示モード時には、当該固有情報に一致する通信を最優先するように設定しておくことで、外部の信号（ノイズ）と区別し、より安定した通信が可能になる。
【００３７】
図４に示した「外部非接触ＩＣ媒体通信モード」、図５に示した「内部データ通信モード」のいずれかでデータ通信が確立すると、演算処理装置は格納された特定のプログラムに従って、所定のデータを読み取り、表示装置に表示データを出力する。表示データを出力するためのプログラムは、外部の非接触ＩＣ媒体のメモリに記録された情報から、交通機関の利用履歴や、電子マネーの残高等、特定の情報を自動的に選択して表示するようにしても良いし、使用者が表示装置上で操作して表示内容を選択するようなものであっても良い。
【００３８】
図６は、通信モードを終了する際のステップを示す。演算処理装置から表示装置に表示データを出力され（Ｓ３２）、情報が表示された後、演算処理装置の入力設定された終了条件に従って、通信を終了するか否かが判断される（Ｓ３３）。終了条件は、例えば操作部１０２の電源ボタンの操作や、表示時間が設定された時間を経過したときに、終了条件を満たすものとしても良い。終了条件を満たすと、リーダ／ライタ手段２０３のスイッチ１を切断（ＯＦＦ）し（Ｓ３４）、非接触通信手段２０４のスイッチ２を開通（ＯＮ）する（Ｓ３５）。「内部データ通信モード」から切断する場合には、既にスイッチ２は開通しているので、このステップは省略することができる。
【００３９】
以上のように、本発明に係る通信方法によれば、外部の非接触ＩＣ媒体との通信と、内部の非接触通信手段との通信が、外部の非接触ＩＣ媒体の通信の有無によって、自動的に通信方法を選択し、情報を表示することが可能になる。
【符号の説明】
【００４０】
１００・・・表示機能付き非接触通信媒体
１０１・・・表示装置
１０２・・・操作部
２０１・・・第一のアンテナ
２０２・・・第二のアンテナ
２０３・・・リーダ／ライタ手段
２０４・・・非接触通信手段
３０１・・・配線回路層
３０２・・・電池
【図１】
2012079249.tif 000003
【図２】
2012079249.tif 000004
【図３】
2012079249.tif 000005
【図４】
2012079249.tif 000006
【図５】
2012079249.tif 000007
【図６】
2012079249.tif 000008